(57)【要約】【課題】  透明材を使用した封筒において、開封させることを主目的とするものでなく、透明部分を利用した新規の構成を提供し封筒の新たな機能を創出することを目的とする。【解決手段】  封筒１Ａの表裏面の一方の面が透視可能な透明材２で、他方は非透視材３で構成され、透明材２に主情報４Ａを表示し外側から看取可能とし、非透明材３に非透明材３の内側からのみ看取可能とした補助情報５Ａを表示し、透明材２の主情報４Ａのみでも特定の情報であると同時に、非透明材３の補助情報５Ａを重ねて結合することにより趣向の異なる情報になることを特徴とする。【選択図】  図１
2008081194.tif 000002
【特許請求の範囲】
【請求項１】
封筒の表裏面の一方の面が透視可能な透明材で、他方は非透視材で構成され、透明材に主情報を表示し外側から看取可能とし、非透明材に非透明材の内側からのみ看取可能とした補助情報を表示し、透明材の主情報のみでも特定の情報であると同時に、非透明材の補助情報を重ねて結合することにより趣向の異なる情報になることを特徴とする封筒。
【請求項２】
請求項1記載の封筒に封入する封入物であって、封筒の透明材と接し且つ対面する封入物の面に、非透明材に表示した同一の補助情報が表示されていることを特徴とする封筒とその封入物の組み合わせ構造。
【請求項３】
封入物の面に、非透明材に表示した補助情報と同種で異なる補助情報が表示されていることを特徴とする請求項2記載の封筒とその封入物の組み合わせ構造。
【請求項４】
封筒の表裏面の一方の面が透視可能な透明材で、他方は非透視材で構成され、透明材に主情報を表示し外側から看取可能とし、封筒の透明材と接し且つ対面する封入物の面に補助情報を表示し、透明材の主情報のみでも特定の情報であると同時に、封入物の補助情報を重ねて結合することにより趣向の異なる情報になることを特徴とする封筒とその封入物の組み合わせ構造。
【請求項５】
封筒の表裏面が透視可能な透明材で構成され、各透明材に主情報を表示し外側から看取可能とし、封筒の各透明材と夫々接し且つ対面する封入物の面に補助情報を表示し、透明材の主情報のみでも特定の情報であると同時に、封入物の補助情報を重ねて結合することにより趣向の異なる情報になることを特徴とする封筒とその封入物の組み合わせ構造。
【発明の詳細な説明】
【技術分野】
【０００１】
本発明は、封筒及び封筒とその中に封入する封入物の組み合わせ構造に関するものである。
【背景技術】
【０００２】
封筒は封入する書面等の封入物の内容を隠し、秘匿して相手へ送れることが、葉書と比べて特徴の一つであった。
しかし、逆に封入物の内容を確認できる透視可能な透明材を表裏面又は片方の面に用いて構成したものがあり、趣旨を知らせることにより重要性や興味を湧かせて、積極的に開封させるようにしたものが提案されている。
【０００３】
しかし、中身が外から透視できるため開封することなく勝手に内容を想像し、そのまま放置或いは廃棄してしまうケースも多く見られ、開封して送付目的の内容（情報）を見てもらうための更なる工夫が求められているのである。
【０００４】
例えば、特開２００３−２２１０４０は、封筒の表裏面を透明フィルムで構成し、表裏面に印刷した情報を互いに重ね合わせることにより所定の情報が完成するように構成したものである。
【特許文献１】特開２００３−２２１０４０
【発明の開示】
【発明が解決しようとする課題】
【０００５】
そこで、本発明は透明材を使用した封筒において、開封させることを主目的とするものでなく、透明部分を利用した新規の構成を提供し封筒の新たな機能を創出することを目的とする。
【課題を解決するための手段】
【０００６】
請求項１の発明は、封筒の表裏面の一方の面が透視可能な透明材で、他方は非透視材で構成され、透明材に主情報を表示し外側から看取可能とし、非透明材に非透明材の内側からのみ看取可能とした補助情報を表示し、透明材の主情報のみでも特定の情報であると同時に、非透明材の補助情報を重ねて結合することにより趣向の異なる情報になることを特徴とする封筒としたものである。
【０００７】
請求項２の発明は、前記の構成の封筒に封入する封入物であって、封筒の透明材と接し且つ対面する封入物の面に、非透明材に表示した同一の補助情報が表示されていることを特徴とする封筒とその封入物の組み合わせ構造であり、また、請求項3の発明は、封入物の面に封筒の透明材と接し且つ対面する封入物の面に、非透明材に表示した同一の補助情報が表示されているものとしている。
【０００８】
また、封筒とその封入物の組み合わせ構造に係る請求項４の発明は、封筒の表裏面の一方の面が透視可能な透明材で、他方は非透視材で構成され、透明材に主情報を表示し外側から看取可能とし、封筒の透明材と接し且つ対面する封入物の面に補助情報を表示し、透明材の主情報のみでも特定の情報であると同時に、封入物の補助情報を重ねて結合することにより趣向の異なる情報になることを特徴とするものである。
【０００９】
さらに、封筒とその封入物の組み合わせ構造に係る請求項５の発明は、封筒の表裏面が透視可能な透明材で構成され、各透明材に主情報を表示し外側から看取可能とし、封筒の各透明材と夫々接し且つ対面する封入物の面に補助情報を表示し、透明材の主情報のみでも特定の情報であると同時に、封入物の補助情報を重ねて結合することにより趣向の異なる情報になることを特徴とするものである。
【発明の効果】
【００１０】
透視可能な透明材に主情報を表示した封筒の請求項１の発明は、内部に封入物を封入しても、外部から表示した主情報が認識されるから封入物に影響を受けずに主情報を看取できる効果がある。
また、開封されて封入物が取り出されると、非透明材に表示した補助情報と主情報が重なって結合して看取されるため、主情報が新たな趣向の異なる見た目に奥行きのある情報になり、封筒と共に封入物の内容も印象付ける効果を発揮するものである。
【００１１】
前記の構成の封筒に封入する封入物であって、封筒の透明材と接し且つ対面する封入物の面に、非透明材に表示した同一の補助情報が表示された請求項２の発明は、開封前は封入物の表示により、開封して封入物の取り出し後は非透明材の表示により、見た目に奥行きのある同一の結合した情報が封入物の存否に拘わらず看取できる効果を有する。
また、請求項３の発明は、封入物の面と非透明材に表示した補助情報とが同種で異なるものであれば、封入物の有無によって、異なる印象の結合した同種の情報が看取できる効果を発揮するのである。
【００１２】
請求項４の発明は、封入物が在る時は、透明材の主情報と封筒の透明材と接し且つ対面する封入物の補助情報が結合した情報となり、封入物を取り出した後は、透明材の主情報のみの特定情報となり、封入物の有無によって趣向の異なる情報になる効果を発揮するのである。
【００１３】
請求項５の発明は、封筒の各透明材の主情報と封筒の各透明材と夫々接し且つ対面する封入物の補助情報とが結合した情報と、封入物を取り出した後は、透明材の主情報のみの情報となり、封入物の有無によって表裏面に趣向の異なる情報となって提供できる効果を発揮するのである。
【発明を実施するための最良の形態】
【００１４】
次に本発明の実施の形態を図面に基づいて説明する。
図１は本発明の一実施の形態を示す封筒の正面図、図２は同裏面の内側面の正面図であり、封筒1Ａは表面を透視可能な透明材２で、裏面は非透視材３で形成されている。
表面の透明材２は公知の封筒に使用されている透明フルムとし、裏面の非透明材３は非透明の材質のシートや、表面と同じ透明フィルムに遮光性インク層を形成したものとしても良い。
【００１５】
透明材２の内側面には主情報４Ａが印刷で表示してあり、また、非透明材３の内側面には補助情報５Ａが印刷で表示されている。
図１では主情報４Ａは送信者の販売製品である自動車が描かれ、図２の補助情報５Ａとして風景が描かれている。
したがって、封筒１Ａは正面から見れば、補助情報５Ａの風景の中に主情報４Ａの自動車が存在している様子が、表面の透明材２を透視して看取できるのであり、封筒１Ａに案内書面等の封入物が封入されると、主情報４Ａの自動車のみが看取できることとなる。
【００１６】
主情報４Ａの透明材２への印刷面は内外いずれの側面に施してもよい。
主情報４Ａの印刷場所は宛名書き対応部を避けたスペースに施すものであり、郵便番号枠等の他の必要事項があれば同時に印刷することが出来る。
非透明の材質シートを利用する場合は、非透明材３への印刷等の表示は内側面となるため、主情報４Ａの透明材２への印刷を内側面にすることにより、折り畳み成形前の展開状態で同時に印刷できる利点がある。
【００１７】
また、透明フィルムに遮光性インク層を形成して非透明材３にする場合は、内側面に形成した遮光性インク層の上に補助情報５Ａを印刷することとなる。
逆に、外側面へ遮光性インク層を形成するのであれば、補助情報５Aを外側面へ先に印刷した上に遮光性インク層を形成するか、或いは内側面に補助情報５Ａを印刷することとなる。
【００１８】
図３は請求項２の発明に係る封入物６Ａの実施の形態の一例を示す正面図であり、封筒１Ａの透明材２と接し且つ対面する封入物６Ａの面７に、非透明材３に印刷した同一の補助情報５Ｂが印刷してある。
したがって、図１の封筒１Ａに封入する封入物６Ａの有無に拘わらず、封入した時は封入物６Ａの補助情報５Ｂと、開封して封入物６Ａが取り出された時は非透明材３の補助情報５Ａと、透明材２の主情報４Ａが合わさった同一の情報が看取されるものとなる。
【００１９】
また、図４は請求項３の発明に係る封入物６Ｂの他の実施の形態を示す正面図であり、補助情報５Ｃを非透明材３の補助情報５Ａと異なる内容としたものである。
例えば、夫々異なる場所の風景としたり、異なる場所の風景とすることで同種の情報でも封入物６Ａの有無で趣向の異なる情報となるものである。
【００２０】
図５は、請求項４の発明に係る封筒１Ｂの一実施の形態を示す正面図である。
封筒１Ｂは表面を透視可能な透明材２で、裏面は非透視材３で形成され、透明材２の内側面又は外側面には主情報４Ａが印刷してあり、非透明材３の内側面には情報的なものは表示されていない。
そこで、この封筒１Ｂに前記封入物６Ａを封入すれば、主情報４Ａに補助情報５Ｂが合わさった情報が看取され、開封して封入物６Ａが取り出された時は主情報４Ａのみが看取できることとなる。
【００２１】
図６は、請求項５の発明に係る封筒１Ｃの一実施の形態を示す背面図であり、表面と共に裏面も透明材２で形成すると共に、夫々主情報４Ｂ、４Ｂが内面側又は外面側のいずれかに印刷で施されている。
主情報４Ｂ、４Ｂは同一の内容でも良いし、異なる内容であっても良い。
また図７は、封入する封入物６Ｃであり、表裏の透明材２，２と接し且つ対面する封入物６Ｃの各面７、８に補助情報５Ｃ、５Ｃが印刷してある。
そして、対向する主情報４Ｂ，４Ｂに合わせて補助情報５Ｃ、５Ｃも同一の内容でも良いし、異なる内容であっても良い。
【００２２】
主情報や補助情報の内容に制約が無く自然や人工物、図形や任意の模様等視覚的に興味のあるもの、ダイレクトメールでは宣伝対象の商品やその関連したものが好ましい。
補助情報を印刷する封入物は、専用の用紙や最初の１枚目の表面であったり、折り畳んだ上面となる部分となる場合もあり、請求項５においては封筒の裏面に対抗する専用の用紙や最終用紙の裏面であったり、折り畳んだ下面となる部分となる場合もある。
【図面の簡単な説明】
【００２３】
【図１】本発明の一実施の形態を示す封筒の正面図である。
【図２】図1の裏面の内側面の正面図である。
【図３】封入物の実施の形態の一例を示す正面図である。
【図４】封入物の他の実施の形態を示す正面図である。
【図５】封筒の他の実施の形態を示す正面図である。
【図６】封筒の他の実施の形態を示す背面図である。
【図７】封入物の他の実施の形態を示す展開図である。
【符号の説明】
【００２４】
１Ａ、１Ｂ、１Ｃ  封筒
２                透明材
３                非透明材
４Ａ、４Ｂ        主情報
５Ａ、５Ｂ、５Ｃ  補助情報
６Ａ、６Ｂ、６Ｃ  封入物
７、８            対面する面
【図１】
2008081194.tif 000003
【図２】
2008081194.tif 000004
【図３】
2008081194.tif 000005
【図４】
2008081194.tif 000006
【図５】
2008081194.tif 000007
【図６】
2008081194.tif 000008
【図７】
2008081194.tif 000009